(57)【特許請求の範囲】
【請求項１】
握り手を備えた本体から下方に延びる下顎の上面に固定刃を固定し、本体の中央部に第１ピンによりハンドルの先端を軸支し、この第１ピンに、可動刃を備えた刃物台と剥離刃を備えたスライド受けとを長孔によりスライド自在に支持させるとともに、ハンドルの第３ピンに軸支されたリンクの先端を上記の刃物台とスライド受けとの後方部分に第２ピンにより連結して揺動可能とした構造を有し、ハンドル操作によって被覆の切断動作とその剥離動作とを連続的に行なう電線の被覆剥離工具であって、
下顎に前後方向に延びるガイドレール部を形成し、可動刃にはこのガイドレール部との接触面部を形成することにより、固定刃に対する可動刃の左右方向位置を規制したことを特徴とする電線の被覆剥離工具。
【請求項２】
ガイドレール部の側面に、電線の被覆の剥離長さ確認用の目盛を設けたことを特徴とする請求項１記載の電線の被覆剥離工具。
【請求項３】
剥離動作の際に、刃物台及び可動刃はガイドレール部にガイドされながら後退する構造としたことを特徴とする請求項１記載の電線の被覆剥離工具。
【発明の詳細な説明】
【技術分野】
【０００１】
本発明は、配線工事などの際に電線の被覆を剥離するために用いられる手動式の電線の被覆剥離工具に関するものである。
【背景技術】
【０００２】
電線の被覆剥離工具としては、特許文献１に示される工具が従来から広く用いられている。その構造は図１に示す通りであり、本体５１から下方に延びる下顎５２の上面に固定刃５３を固定し、本体５１の中央部に第１ピン５４によりハンドル５５の先端を軸支し、この第１ピン５４に、可動刃５６を備えた刃物台５７と剥離刃５８を備えたスライド受け５９とを長孔６０によりスライド自在に支持させるとともに、ハンドル５５の第３ピン６１に軸支されたリンク６２の先端を上記の刃物台５７とスライド受け５９との後方部分に第２ピン６３により連結して揺動可能とした構造である。この電線の被覆剥離工具は、ハンドル５５の操作によって被覆の切断動作とその剥離動作とを連続的に行なうことができるものである。
【０００３】
使用時には、電線を下側の固定刃５３の上にセットしたうえハンドル５５を閉じて行くと、刃物台５７に備えた可動刃５６が固定刃５３に向かって下方に移動し、被覆に食い込んで切断する。この状態から更にハンドル５５を閉じると、剥離刃５８を備えたスライド受け５９が刃物台５７に備えた可動刃５６とともに後方へ移動し、切断された被覆を剥離する。このように電線の被覆剥離工具は、単にハンドル５を閉じる動作だけで、被覆の切断と剥離とを連続的に行うことができるものである。
【０００４】
ところが、刃物台５７は後方に離れた位置にある第１ピン５４と第２ピン６３の部分で支持されており、しかもこれらの部分は刃物台５７の後方への移動を可能とするために長孔となっているうえ、本体との嵌合部分に隙間があるため、可動刃５６が設けられた刃物台５７の先端部には左右方向に僅かなガタツキが生じることが避けられない。その影響で可動刃５６が本来の位置から僅かに左右方向にずれてしまい、切断時に可動刃５６が固定刃５３と正対しないため電線の心線を傷つけたり、被覆の切断跡が見苦しくなったりすることがあった。
【先行技術文献】
【特許文献】
【０００５】
【特許文献１】特許第４１６９２７６号公報
【発明の概要】
【発明が解決しようとする課題】
【０００６】
従って本発明の目的は上記した従来の問題点を解決し、刃物台の可動刃が固定刃に対して常に正しく位置決めされた状態で電線の被覆を切断することができる電線の被覆剥離工具を提供することである。
【課題を解決するための手段】
【０００７】
上記の課題を解決するためになされた本発明の電線の被覆剥離工具は、握り手を備えた本体から下方に延びる下顎の上面に固定刃を固定し、本体の中央部に第１ピンによりハンドルの先端を軸支し、この第１ピンに、可動刃を備えた刃物台と剥離刃を備えたスライド受けとを長孔によりスライド自在に支持させるとともに、ハンドルの第３ピンに軸支されたリンクの先端を上記の刃物台とスライド受けとの後方部分に第２ピンにより連結して揺動可能とした構造を有し、ハンドル操作によって被覆の切断動作とその剥離動作とを連続的に行なう電線の被覆剥離工具であって、
下顎に前後方向に延びるガイドレール部を形成し、可動刃にはこのガイドレール部との接触面部を形成することにより、固定刃に対する可動刃の左右方向位置を規制したことを特徴とするものである。
【０００８】
なお請求項２のように、ガイドレール部の側面に、電線の被覆の剥離長さ確認用の目盛を設けた構造とすることができる。また請求項３のように、剥離動作の間に、刃物台は可動刃とともに、ガイドレール部にガイドされながら後退する構造とすることができる。
【発明の効果】
【０００９】
本発明の電線の被覆剥離工具は、本体の下顎の端部に前後方向に延びるガイドレール部を形成し、可動刃にこのガイドレール部との接触面部を形成することにより、固定刃に対する可動刃の左右方向位置を規制したものであるから、可動刃は固定刃に対して常に正しい位置で被覆を切断することができる。このため従来のように電線の心線を傷つけたり、被覆の切断跡が見苦しくなったりする問題をなくすことができる。また、固定刃とガイドレール部を一体にしたり、可動刃と接触面部を分離したり、ガイドレール部と接触面部との形状をＶ形状や凹凸形状にしたりしても、同様の効果が得られることはいうまでもない。
【００１０】
また請求項２のように、このガイドレール部の側面に電線の被覆の剥離長さ確認用の目盛を設けた構造としておけば、従来は目分量により行っていた電線のセット位置を正確に定めることができる。
【００１１】
また請求項３のように、剥離動作の際に刃物台が可動刃とともにガイド板にガイドされながら後退する構造としておけば、剥離動作もガイド板にセットした電線と平行に直線的に行うことができ、被覆の剥離動作中の心線への傷付きを防ぐことができる。
【図面の簡単な説明】
【００１２】
【図１】特許文献１に記載の電線の被覆剥離工具の正面図である。
【図２】実施形態の電線の被覆剥離工具のハンドルを開いた状態の正面図である。
【図３】実施形態の電線の被覆剥離工具のハンドルを閉じた状態の正面図である。
【図４】図３の上面図である。
【図５】固定刃の側面図である。
【図６】ヘッドの説明図である。
【図７】刃物台の説明図である。
【図８】可動刃の説明図である。
【図９】スライド受けの説明図である。
【図１０】ガイド板の斜視図である。
【図１１】可動刃とガイドレール部との嵌合状態を示す側面図である。
【図１２】調整ダイヤルとヘッドとの関係を示す動作説明図である。
【発明を実施するための形態】
【００１３】
以下に図面を参照しつつ、本発明の実施形態を説明する。
図２と図３は本発明の電線の被覆剥離工具の正面図であり、図４はその上面図である。これらの図において、１は本体、２はハンドルである。本体１の基部は滑り止め用の凹凸が形成された握り手３となっている。また本体１の先端側は斜め下方に屈曲され下顎４が形成されている。下顎４の先端部には、固定刃５が固定されている。固定刃５は図４に示すように幅広の外側被覆切断部６と、３つの内側被覆切断部７とを備えている。
【００１４】
本体１の中央部には、ハンドル２の先端部が第１ピン８によって軸支されている。使用者は本体１の握り手３とハンドル２との間に手を掛けてハンドル操作を行なう。
【００１５】
この第１ピン８には、ヘッド９、刃物台１０、スライド受け１１の３つの部材が支持されている。ヘッド９は図６に示すように中央部に第１ピン８の貫通孔１２を備え、先端側は略直角に屈曲されて剥離時の電線押さえ部１３となっている。また後部には前後方向に延びる長孔１４が形成されている。ヘッド９は第１ピン８を中心として回動可能であるが、スライド運動は行わない。
【００１６】
刃物台１０は、図７に示すように中央部に第１ピン８が挿通される長孔１５を備え、先端側は略直角に屈曲されて可動刃取付部１６となっている。また後端には貫通孔１７が形成されている。可動刃取付部１６に取付けられた可動刃１８は、図８に示すように幅広の外側被覆切断部１９と、３つの内側被覆切断部２０とを備えており、前記した固定刃５との間で被覆の切断を行なう。
【００１７】
スライド受け１１は図９に示すように、中央部に第１ピン８が挿通される長孔２１を備え、先端側は略直角に屈曲されて剥離刃２２が形成されている。また後端には略上下方向に延びる溝カム２３が形成されている。
【００１８】
図２、図３に示すように、ハンドル２の略中央部には第３ピン２４が設けられており、リンク２５の下端を軸支している。このリンク２５の先端には第２ピン２６が設けられており、この第２ピン２６は上記したヘッド９の長孔１４、刃物台１０の貫通孔１７、スライド受け１１の溝カム２３を貫通している。なおリンク２５は、図示を略したバネによって常に反時計方向に弾発され、第２ピン２６を前方に付勢している。
【００１９】
上記した構造は図１に示した従来品と同じであるが、本発明では本体１の下顎４に、前後方向に延びるガイド板３０が設けられている。このガイド板３０は図１０に示すように平面視するとＬ字状の部材であり、その端部に前後方向に延びる平板状のガイドレール部３１が立設されている。なおガイド板３０の中央部分は、下顎４の先端部に固定刃５を固定するための押え部３２となっている。
【００２０】
図８に示す通り、可動刃１８の端部にはこのガイドレール部３１との接触面部３３が形成されている。後述するように電線の被覆を切断や剥離する状態では、可動刃１８の接触面部３３がガイド板３０のガイドレール部３１に接触し、可動刃１８の左右方向のズレを規制することができる。なおガイドレール部３１の外側面には、電線の被覆の剥離長さ確認用の目盛３４を形成しておくことが好ましい。
【００２１】
なお図４に示すように、本実施形態においては下顎４の上面に調節ダイヤル４１が設けられている。この調節ダイヤル４１は上面に高さの異なる複数の段部４２を備えたものであり、図１２に示すようにヘッド９の下部の凸部４０に対向する位置にある。このため調節ダイヤル４１を回転させて段部４２の高さを変えることにより、ヘッド９の最下降位置を調節することができる。
【００２２】
次に、このように構成された本発明の電線の被覆剥離工具の使用方法を説明する。
先ず図２に示すようにハンドル２を開いた状態とし、固定刃５の上に電線をセットする。このとき目盛３４を利用して被覆の剥離長さを確認したうえで電線をセットすることができる。
【００２３】
この状態からハンドル２を閉じて行くと、第３ピン２４によりリンク２５が押し上げられ、ヘッド９と刃物台１０が第１ピン８を中心として図面上の反時計方向に回動し、その先端が下降する。ヘッド９の電線押さえ部１３が電線を押さえ、刃物台１０に取付けられた可動刃１８が下降して被覆に切り込む。このとき、可動刃１８が被覆に切り込む抵抗により、リンク２５の先端の第２ピン２６はヘッド９の長孔１４に沿って後方にスライドし始める。つまり刃物台１０は、第1ピン８を中心として図面上の反時計方向に回動しながら、スライド受け１１と共に後方にスライドし始める。このとき図４に示すように、刃物台１０がスライドする力矢印Ａと可動刃18が被覆を剥離する抵抗矢印Ｂが発生するが、両者の力には距離Ｃがあることにより回転モーメントが働き、矢印Ｄ方向に刃物台１０が寄り、刃物台１０に取付けられた可動刃１８の端部に形成された接触面部３３がガイド板３０のガイドレール部３１に接触し、可動刃１８の左右方向の位置ずれを規制する。このため可動刃１８と固定刃５が左右方向にずれることなく被覆を正確に切断することができる。
【００２４】
所定位置までハンドル２を閉じて行き、図１２に示すようにヘッド９の凸部４０が下顎４に設けた調節ダイヤル４１との段部４２と当接して可動刃１８が下降できない図３の状態となると、リンク２５はそれ以上上昇することができなくなり、刃物台１０は第1ピン８を中心として図面上の反時計方向に回動しなくなるが、リンク２５の先端の第２ピン２６はヘッド９の長孔１４に沿って後方にスライドし、刃物台１０とスライド受け１１が後方にスライドする動きはハンドル２を全閉するまで続く。この状態において固定刃５は被覆を切断した位置に留まる一方、スライド受け１１の剥離刃２２と刃物台１０の可動刃１８とによって被覆は上下から保持され、後方に剥離される。なお、スライド受け１１は下顎４の上面に沿ってスライドするものである。
【００２５】
また本発明では、可動刃１８はガイド板３０のガイドレール部３１に接触したまま切断及び後方への直線的なスライドを行なうので、剥離動作の途中での心線への傷付きを防ぐことができる。
【００２６】
一般に被覆電線の被覆は、２芯または３芯にまたがる外側の被覆と、心線の回りの内側の被覆とから構成されているため、上記の被覆剥離動作は外側被覆切断部６、１９と内側被覆切断部７、２０とで位置を変えて、被覆剥離を２度行なうこととなる。しかし、本発明の電線の被覆剥離工具はこれに限定されるものではなく、単芯の電線の被覆の剥離にも用いることができることはいうまでもない。
【００２７】
以上に説明したように、本発明の電線の被覆剥離工具は、下顎４にガイドレール部３１を形成し、可動刃１８に接触面部３３を形成することにより、固定刃５に対する可動刃１８の左右方向位置を規制したものであるから、被覆電線の種類やそのセット状態にかかわらず、可動刃１８は固定刃に対して常に正しい位置で被覆を切断及び剥離することができ、従来のように電線の心線を傷つけたり、被覆の切断跡が見苦しくなったりすることがない。
【符号の説明】
【００２８】
１  本体（本発明品）
２  ハンドル
３  握り手
４  下顎
５  固定刃
６  外側被覆切断部
７  内側被覆切断部
８  第１ピン
９  ヘッド
１０  刃物台
１１  スライド受け
１２  貫通孔
１３  電線押さえ部
１４  長孔
１５  長孔
１６  可動刃取付部
１７  貫通孔
１８  可動刃
１９  外側被覆切断部
２０  内側被覆切断部
２１  長孔
２２  剥離刃
２３  溝カム
２４  第３ピン
２５  リンク
２６  第２ピン
３０  ガイド板
３１  ガイドレール部
３２  押え部
３３  接触面部
３４  目盛
４０  凸部
４１  調節ダイヤル
４２  段部
５１  本体（従来品）
５２  下顎
５３  固定刃
５４  第１ピン
５５  ハンドル
５６  可動刃
５７  刃物台
５８  剥離刃
５９  スライド受け
６０  長孔
６１  第３ピン
６２  リンク
６３  第２ピン
【図１】
0006376952.tif 000002
【図２】
0006376952.tif 000003
【図３】
0006376952.tif 000004
【図４】
0006376952.tif 000005
【図５】
0006376952.tif 000006
【図６】
0006376952.tif 000007
【図７】
0006376952.tif 000008
【図８】
0006376952.tif 000009
【図９】
0006376952.tif 000010
【図１０】
0006376952.tif 000011
【図１１】
0006376952.tif 000012
【図１２】
0006376952.tif 000013